(57)【要約】【課題】操作者による操作に支障をきたすことなく、画質の低下を回避することができる医用画像診断システム及びＸ線検出器を提供すること。【解決手段】実施形態に係る医用画像診断システムは、取得部と、調整部と、更新部とを備える。取得部は、検査の予約情報を示す予約検査情報を取得する。調整部は、前記予約検査情報に基づいて、医用画像を補正する補正値の更新時期を調整する。更新部は、前記調整部によって調整された更新時期に前記補正値を更新する。【選択図】図２
2018033839.tif 000002
【特許請求の範囲】
【請求項１】
検査の予約情報を示す予約検査情報を取得する取得部と、
前記予約検査情報に基づいて、医用画像を補正する補正値の更新時期を調整する調整部と、
前記調整部によって調整された更新時期に前記補正値を更新する更新部と、
を備える、医用画像診断システム。
【請求項２】
前記調整部は、前記予約検査情報に基づいて前記検査の実施時期を特定し、前記補正値の定期的な更新の更新時期が前記検査の実施時期と重なる場合に、前記補正値の定期的な更新が前記検査の実施前に実行されるように、前記定期的な更新の更新時期を調整する、請求項１に記載の医用画像診断システム。
【請求項３】
前記調整部は、前記補正値の定期的な更新が前記検査に関わる所定の事象の発生時期に実行されるように、前記補正値の定期的な更新の更新時期を調整する、請求項１又は２に記載の医用画像診断システム。
【請求項４】
前記調整部は、前記所定の事象の発生時期から前記検査の実施時期までの時間を推定し、推定した時間が前記補正値の定期的な更新の次の更新時期までの時間よりも短い場合に、前記補正値の定期的な更新が前記所定の事象の発生時期に実行されるように、前記補正値の定期的な更新の更新時期を調整する、請求項３に記載の医用画像診断システム。
【請求項５】
検査の実施中において、医用画像の収集時期を予測する予測部と、
前記医用画像の収集時期の予測結果に基づいて、前記医用画像を補正する補正値の更新時期を調整する調整部と、
前記調整部によって調整された更新時期に前記補正値を更新する更新部と、
を備える、医用画像診断システム。
【請求項６】
前記予測部は、前記医用画像の収集時期に基づいて、前記検査における前記医用画像の残り収集回数を予測し、
前記調整部は、前記医用画像の残り収集回数が所定の回数を下回った場合に、前記補正値の定期的な更新が前記検査の終了後に実行されるように、前記補正値の定期的な更新の更新時期を調整する、請求項５に記載の医用画像診断システム。
【請求項７】
前記調整部は、前記医用画像の収集回数が所定の回数に達するごとに前記補正値の定期的な更新が実行されるように、前記補正値の定期的な更新の更新時期を調整する、請求項５に記載の医用画像診断システム。
【請求項８】
前記予測部は、前記検査の実施中における検出器ごとの前記医用画像の収集時期をそれぞれ予測し、
前記調整部は、各検出器における前記医用画像の収集時期に基づいて、検出器ごとの補正値の定期的な更新の更新時期を調整する、請求項５に記載の医用画像診断システム。
【請求項９】
前記調整部は、前記補正値の定期的な更新が前記検査中の所定の事象の発生時期に実行されるように、前記補正値の定期的な更新の更新時期を調整する、請求項１〜８のいずれか一項に記載の医用画像診断システム。
【請求項１０】
検査の予約情報を示す予約検査情報を取得する取得部と、
前記予約検査情報に基づいて、医用画像を補正する補正値の更新時期を調整する調整部と、
前記調整部によって調整された更新時期に前記補正値を更新する更新部と、
を備える、Ｘ線検出器。
【請求項１１】
検査の実施中において、医用画像の収集時期を予測する予測部と、
前記医用画像の収集時期の予測結果に基づいて、前記医用画像を補正する補正値の更新時期を調整する調整部と、
前記調整部によって調整された更新時期に前記補正値を更新する更新部と、
を備える、Ｘ線検出器。
【発明の詳細な説明】
【技術分野】
【０００１】
本発明の実施形態は、医用画像診断システム及びＸ線検出器に関する。
【背景技術】
【０００２】
従来、Ｘ線診断装置などを含む医用画像診断システムでは、被検体を透過したＸ線を検出するためのＸ線検出器として、Ｘ線平面検出器（Flat  Panel  Detector：ＦＰＤ）が用いられている。例えば、ＦＰＤは、Ｘ線を電荷に変換するＸ線変換部や、電荷を蓄積するコンデンサ、コンデンサから蓄積された電荷を読み出すためのＴＦＴ（Thin  Film  Transistor）、読み出された電荷をデジタル信号に変換するＡ／Ｄ変換器（Analog  to  Digital  Converter）等を有し、Ｘ線管から照射され被検体を透過したＸ線を検出して、画像データを生成する。
【０００３】
ここで、ＦＰＤによって生成された画像データは、種々のノイズを除去するための補正処理を受ける。例えば、ＦＰＤによって収集された画像データは、種々の電気ノイズ（例えば、暗電流など）を除去するためのオフセット補正を受ける。オフセット補正は、Ｘ線を照射させない状態で電荷の読み出しを実行することで生成されるオフセット補正値を画像データから差分することにより実行される。ここで、このオフセット補正値は、変動しやすく、例えば、温度変化などによって大きく変化する。そのため、医用画像診断システムは、オフセット補正値の変動による画質低下を抑止するために、オフセット補正値を更新するオフセットキャリブレーションを定期的に実行することで、より正確なオフセット補正値を維持するように制御する。
【先行技術文献】
【特許文献】
【０００４】
【特許文献１】特開２００８−０２９３９３号公報
【特許文献２】特開２００２−３０１０５３号公報
【特許文献３】特開２００１−１４９３５５号公報
【発明の概要】
【発明が解決しようとする課題】
【０００５】
本発明が解決しようとする課題は、操作者による操作に支障をきたすことなく、画質の低下を回避することができる医用画像診断システム及びＸ線検出器を提供することである。
【課題を解決するための手段】
【０００６】
実施形態に係る医用画像診断システムは、取得部と、調整部と、更新部とを備える。取得部は、検査の予約情報を示す予約検査情報を取得する。調整部は、前記予約検査情報に基づいて、医用画像を補正する補正値の更新時期を調整する。更新部は、前記調整部によって調整された更新時期に前記補正値を更新する。
【図面の簡単な説明】
【０００７】
【図１】図１は、第１の実施形態に係る医用画像診断システムの一例を示す図である。
【図２】図２は、第１の実施形態に係る医用画像診断システムの構成の一例を示すブロック図である。
【図３】図３は、第１の実施形態に係るＦＰＤの一例を示す図である。
【図４】図４は、第１の実施形態に係る画像データに対する補正処理の一例を説明するための図である。
【図５】図５は、第１の実施形態に係る調整機能による調整処理の一例を説明するための図である。
【図６】図６は、第１の実施形態に係る医用画像診断システムによる処理手順を示すフローチャートである。
【図７】図７は、第１の実施形態に係る医用画像診断システムによる処理手順を示すフローチャートである。
【図８】図８は、第１の実施形態に係る医用画像診断システムによる処理手順を示すフローチャートである。
【図９】図９は、第２の実施形態に係る医用画像診断システムの構成の一例を示すブロック図である。
【図１０】図１０は、第２の実施形態に係る調整機能による調整処理の一例を説明するための図である。
【図１１】図１１は、第２の実施形態に係る医用画像診断システムによる処理手順を示すフローチャートである。
【図１２】図１２は、第２の実施形態に係る医用画像診断システムによる処理手順を示すフローチャートである。
【図１３】図１３は、第３の実施形態に係る調整機能による調整処理の一例を説明するための図である。
【図１４】図１４は、第３の実施形態に係る医用画像診断システムによる処理手順を示すフローチャートである。
【図１５】図１５は、第３の実施形態に係る医用画像診断システムによる処理手順を示すフローチャートである。
【図１６】図１６は、第４の実施形態に係るＦＰＤの構成の一例を示すブロック図である。
【図１７】図１７は、第４の実施形態に係るＦＰＤの構成の一例を示すブロック図である。
【発明を実施するための形態】
【０００８】
以下に添付図面を参照して、本願に係る医用画像診断システム及びＸ線検出器の実施形態を詳細に説明する。なお、本願に係る医用画像診断システム及びＸ線検出器は、以下に示す実施形態によって限定されるものではない。また、以下の実施形態では、Ｘ線診断装置を含む医用画像診断システムを一例に挙げて説明する。
【０００９】
（第１の実施形態）
まず、図１を用いて、第１の実施形態に係る医用画像診断システムの一例を説明する。図１は、第１の実施形態に係る医用画像診断システムの一例を示す図である。図１に示すように、第１の実施形態に係る医用画像診断システムは、Ｘ線高電圧装置、Ｘ線管、Ｘ線可動絞り、Ｘ線管保持装置、Ｘ線平面検出器（ＦＰＤ）、立位撮影台、臥位撮影台、画像処理装置などを備える。また、図１に示す医用画像診断システムは、図示しないビューワーやＰＡＣＳ(Picture  Archiving  and  Communication  Systems)サーバ等にネットワークを通じて接続される。また、医用画像診断システムは、ＨＩＳ（Hospital  Information  Systems）や、ＲＩＳ（Radiology  Information  Systems）が適用され、各システムを管理する管理サーバとそれぞれ接続される。
【００１０】
図１に示すＸ線高電圧装置はＸ線管に高電圧を供給し、Ｘ線管は供給された高電圧を用いてＸ線を曝射する。また、Ｘ線可動絞りは、被検体に対する被曝線量の低減や画像データの画質向上を目的として、Ｘ線の照射野を制御する。Ｘ線管保持装置は、Ｘ線管及びＸ線可動絞りをアームにより保持し、アームを駆動させることで、Ｘ線管及びＸ線可動絞りの位置を撮影位置や退避位置等に移動させる。ここで、Ｘ線管保持装置は、例えば天井走行式であり、天井面に敷設されたレール上を走行することで、Ｘ線管及びＸ線可動絞りの位置を移動させることもできる。ＦＰＤは、図１に示す各位置において使用されるＸ線検出器であり、被検体を透過したＸ線情報を画像データ（投影データ）に変換し、画像処理装置に送る。
【００１１】
ここで、ＦＰＤは、例えば可搬式のＦＰＤであり、図１に示すように、立位撮影台や臥位撮影台に組み込まれて使用される。例えば、立位撮影台では、一端がレールと連結された保持部によってＦＰＤが保持され、保持部をレール上で移動することにより、ＦＰＤが上下にスライドされる。また、臥位撮影台では、ＦＰＤは、被検体を載置する天板の下部に組み込まれて使用される。或いは、臥位撮影台では、天板上にＦＰＤが載置されて使用される。なお、ＦＰＤは、可搬式ではなく、各撮影台に組み込まれ固定される場合であってもよい。
【００１２】
画像処理装置は、医用画像診断システムの全体制御を行う。具体的には、画像処理装置は、立位撮影台や臥位撮影台を制御して、Ｘ線画像を収集する。例えば、画像処理装置は、Ｘ線高電圧装置を制御することで被検体に対してＸ線を曝射させ、ＦＰＤから送信された画像データを受信し、受信した画像データに対して、種々の画像処理を実行することでＸ線画像を生成する。また、画像処理装置は、マウスやキーボード等を介して、Ｘ線画像の収集や、画像処理に関する操作を受け付ける。また、画像処理装置は、Ｘ線画像をディスプレイに表示する。また、画像処理装置は、画像データや、Ｘ線画像を一時保管したり、ネットワークを介して画像データや、Ｘ線画像を他の装置に転送したりする。
【００１３】
例えば、図１に示す医用画像診断システムは、立位撮影台の前に立った状態の被検体に対してＸ線管からＸ線を曝射し、被検体を透過したＸ線を、立位撮影台に設置されたＦＰＤにより検出する事で、立位での撮影を実行する。また、例えば、図１に示す医用画像診断システムは、臥位撮影台が備える天板上の被検体に対してＸ線管からＸ線を曝射し、被検体を透過したＸ線を、臥位撮影台に設置されたＦＰＤにより検出する事で、臥位での撮影を実行する。また、例えば、図１に示す医用画像診断システムは、臥位撮影台の天板上に載置されたＦＰＤにより、被検体を透過したＸ線を検出する事で撮影を実行する。
【００１４】
次に、図２を用いて、第１の実施形態に係る医用画像診断システム１の構成の一例を説明する。図２は、第１の実施形態に係る医用画像診断システム１の構成の一例を示すブロック図である。図２に示すように、第１の実施形態に係る医用画像診断システム１は、Ｘ線高電圧装置１１０と、Ｘ線管１２０と、Ｘ線可動絞り１３０と、線質フィルタ１４０と、ＦＰＤ１５０と、ディスプレイ１６０と、入力回路１７０と、記憶回路１８０と、処理回路１９０とを備える。ここで、Ｘ線管１２０、Ｘ線可動絞り１３０、線質フィルタ１４０及びＦＰＤ１５０は、例えば、図１に示す立位撮影台及び臥位撮影台にそれぞれ含まれる。また、ディスプレイ１６０、入力回路１７０、記憶回路１８０及び処理回路１９０は、例えば、図１に示す画像処理装置に含まれる。
【００１５】
Ｘ線高電圧装置１１０は、処理回路１９０による制御のもと、Ｘ線管１２０に高電圧を供給する。Ｘ線管１２０は、Ｘ線高電圧装置１１０から供給された高電圧を用いてＸ線を曝射する。Ｘ線可動絞り１３０は、Ｘ線管１２０から曝射されるＸ線の照射領域を制御する。ここで、Ｘ線管１２０及びＸ線可動絞り１３０は、例えばアームなどの支持部に支持され、図示しない駆動装置によって駆動される。駆動装置は、処理回路１９０による制御のもと、Ｘ線管１２０及びＸ線可動絞り１３０の位置を移動させる。また、駆動装置は、処理回路１９０による制御のもと、Ｘ線可動絞り１３０が有する絞り羽根の開度を調整することで、Ｘ線管１２０から照射されるＸ線の照射範囲を制御する。線質フィルタ１４０は、所定のＳＩＤ（Source  Image  Distance）及びＸ線条件において、所定の線質や線量を有するＸ線がＦＰＤ１５０に入射するように、Ｘ線の経路上（例えば、Ｘ線可動絞り１３０の前面）に設置されるフィルタである。例えば、線質フィルタ１４０は、所定の材質、厚さの金属板である。
【００１６】
ここで、ＦＰＤ１５０について、図３を用いて説明する。図３は、第１の実施形態に係るＦＰＤ１５０の一例を示す図である。図３に示すように、第１の実施形態に係るＦＰＤ１５０は、Ｘ線変換部やコンデンサ、ＴＦＴ（Thin  Film  Transistor）等を有する。Ｘ線変換部は、Ｘ線のエネルギーを電荷に変換する。ここで、Ｘ線変換部は、Ｘ線を直接電荷に変換する直接変換型と、Ｘ線を光に変換し、変換後の光を電荷に変換する間接変換型のどちらが用いられてもよい。直接変換型の場合、Ｘ線変換部は、例えば、アモルファスセレン半導体（ａ−Ｓｅ）などで構成され、被検体を透過して入射したＸ線を電荷に変換する。間接変換型の場合、Ｘ線変換部は、例えば、シンチレータとフォトダイオードなどで構成され、シンチレータが被検体を透過して入射したＸ線を光に変換し、フォトダイオードが光を電荷に変換する。
【００１７】
コンデンサは、Ｘ線変換部により変換された電荷を蓄積する。ＴＦＴは、各コンデンサから電荷を取り出す半導体スイッチであり、図示しない駆動回路からの駆動信号を入力するゲート線や、コンデンサから取り出した電荷を流す信号線に接続される。図３に示すコンデンサ及びＴＦＴが画素ごとに設けられる。ＦＰＤは、各画素に対応するコンデンサから取り出した電荷をアンプによってそれぞれ増幅し、増幅した電荷をＡ／Ｄ変換器（Analog  to  Digital  Converter）によってデジタル信号に変換することで、画像データを生成する。
【００１８】
図２に戻って、ディスプレイ１６０は、操作者によって参照されるモニタであり、処理回路１９０による制御のもと、処理回路１９０によって生成されたＸ線画像等を表示する。入力回路１７０は、各種指示や各種設定の入力に用いるマウスやキーボード、トラックボール、スイッチ、ボタン、ジョイスティック等を有し、操作者から指示や設定を受け付ける。記憶回路１８０は、処理回路１９０が医用画像診断システム１による処理の全体を制御する際に用いるデータ、及び画像データ、Ｘ線画像等を記憶する。例えば、記憶回路１８０は、処理回路１９０によって実行される、各プログラムを記憶する。また、記憶回路１８０は、Ｘ線画像の補正に用いるデータを記憶する。なお、Ｘ線画像の補正に用いるデータについては後述する。
【００１９】
処理回路１９０は、入力回路１７０を介して操作者から受け付けた入力操作に応じて、医用画像診断システム１が有する各構成要素を制御する。例えば、処理回路１９０は、プロセッサによって実現される。処理回路１９０は、記憶回路１８０から対応するプログラムを読み出して実行することで、制御機能１９１と、取得機能１９２と、調整機能１９３と、更新機能１９４とを実行する。ここで、取得機能１９２は、特許請求の範囲における取得部の一例である。また、調整機能１９３は、特許請求の範囲における調整部の一例である。また、更新機能１９４は、特許請求の範囲における更新部の一例である。なお、これら各機能の詳細については、後に詳述する。
【００２０】
このような構成のもと、本実施形態に係る医用画像診断システム１は、操作者による操作に支障をきたすことなく、画質の低下を回避することを可能にする。具体的には、第１の実施形態に係る医用画像診断システム１は、ＦＰＤ１５０によって生成された画像データを補正する補正値の更新時期を、検査の予約に応じて調整することで、操作者による操作に支障をきたすことなく、画質の低下を回避する。上述したように、ＦＰＤ１５０によって生成された画像データは、種々のノイズを除去するための補正処理を受ける。医用画像診断システム１は、この補正処理において使用される補正値の更新時期を検査の予約に応じて調整する。
【００２１】
以下、ＦＰＤ１５０によって生成された画像データに対する補正処理の一例について、図４を用いて説明する。図４は、第１の実施形態に係る画像データに対する補正処理の一例を説明するための図である。ＦＰＤ１５０によって生成される画像データは、例えば、Ｘ線変換部やＴＦＴからの暗電流等によって生じるオフセット成分や、Ｘ線変換部における空間的な不均一性及びアンプ個々の製造ばらつき等によって生じるゲインの不均一性、Ｘ線変換部及びＴＦＴの欠陥等に起因する欠陥点等を有する。そこで、医用画像診断システム１におけるＦＰＤ１５０においては、これらを補正するために、例えば、図４に示すように、オフセット補正、ゲイン補正、欠陥点補正などが実行される。
【００２２】
例えば、ＦＰＤ１５０は、図４に示すように、所定のオフセット補正値を、生成された画像データから減ずることでオフセット成分を除去する。そして、ＦＰＤ１５０は、図４に示すように、所定のゲイン補正係数を画像データに乗ずることで、ゲインの不均一性を補正する。その後、ＦＰＤ１５０は、図４に示すように、所定の欠陥点マップに沿って、欠陥点周囲の正常画素の画素値を用いて、欠陥点を補間する。このように、ＦＰＤ１５０によって生成された画像データは、オフセット補正値、ゲイン補正係数及び欠陥点マップなどの補正値を用いた補正処理が実行される。これら補正値は、定期的にキャリブレーションされることで、常に正確な補正が行われるように制御される。
【００２３】
ここで、上述したように、オフセット補正は、変動しやすく、例えば、温度変化などによって大きく変化する。そのため、医用画像診断システム１は、オフセット補正値の変動による画質低下を抑止するために、オフセット補正値を更新するオフセットキャリブレーションを高頻度（例えば、１０分間隔等）で定期的に実行することで、より正確なオフセット補正値を維持するように制御する。しかしながら、オフセットキャリブレーションが実行されると撮影ができなくなるため、上述したオフセットキャリブレーションが検査実施中に実行された場合、操作者の操作や、撮影を阻害する要因となる。そのため、医用画像診断システム１では、検査実施中にオフセットキャリブレーションの実施タイミングとなった場合に、オフセットキャリブレーションを実施しないように制御したり、オフセットキャリブレーション実施中に検査が開始された場合に、オフセットキャリブレーションをキャンセルしたりすることができる。
【００２４】
しかしながら、この場合、オフセットキャリブレーションが実施されず、オフセット補正値が更新されない場合があるため、画質が低下する恐れがある。そこで、医用画像診断システム１は、以下詳細に説明する処理回路１９０による処理によって、検査の予約情報に基づいてオフセットキャリブレーションの実施タイミングを調整することで、操作者による操作に支障をきたすことなく、画質の低下を回避することを可能にする。
【００２５】
以下、処理回路１９０の詳細について説明する。処理回路１９０における制御機能１９１は、医用画像診断システム１の全体制御を実行する。例えば、制御機能１９１は、検査のオーダ情報を取得し、取得したオーダ情報に基づいて、立位撮影台や、臥位撮影台、ＦＰＤ１５０等を制御することで、画像データを収集する。また、制御機能１９１は、ＦＰＤ１５０から出力される画像データを記憶回路１８０に記憶させる。また、制御機能１９１は、画像データから種々のＸ線画像を生成して、生成したＸ線画像を記憶回路１８０に記憶させたり、ディスプレイ１６０に表示させたりする。また、制御機能１９１は、入力回路１７０を介して操作者から受け付けた入力操作に応じて、種々の処理を実行させる。また、制御機能１９１は、記憶回路１８０によって記憶されたオフセット補正値、ゲイン補正係数及び欠陥点マップを用いて、画像データに対してオフセット補正、ゲイン補正及び欠陥点補正を実行する。また、制御機能１９１は、ゲイン補正係数及び欠陥点マップを取得して、記憶回路１８０に記憶させる。
【００２６】
取得機能１９２は、検査の予約情報を示す予約検査情報を取得する。例えば、取得機能１９２は、ネットワークを介して、ＨＩＳやＲＩＳを管理する管理サーバに対してアクセスして、医用画像診断システム１における予約検査情報を取得する。一例を挙げると、取得機能１９２は、各管理サーバから、予約された検査の日時、検査内容等の情報を取得して、記憶回路１８０に格納する。また、取得機能１９２は、予約検査情報の他にも、医用画像診断システム１による検査に関する情報を取得することができる。例えば、取得機能１９２は、患者（被検体）の来院登録、場内アナウンス、検査オーダの取得、患者（被検体）検索、及び、カルテの読み出し等の事象が発生したことを示す情報を取得する。
【００２７】
調整機能１９３は、予約検査情報に基づいて、医用画像を補正する補正値の更新時期を調整する。例えば、調整機能１９３は、予約検査情報に基づいて検査の実施時期を特定し、オフセット補正値の定期的な更新の更新時期が検査の実施時期と重なる場合に、オフセット補正値の定期的な更新が検査の実施前に実行されるように、定期的な更新の更新時期を調整する。図５は、第１の実施形態に係る調整機能１９３による調整処理の一例を説明するための図である。図５においては、上段に調整前の定期的なオフセットキャリブレーションの実施時期の例を示し、下段に調整後のオフセットキャリブレーションの実施時期の例を示す。
【００２８】
例えば、オフセットキャリブレーションは、図５の上段に示すように、定期的（例えば、１０分ごと）に、所定の時間（例えば、１０秒）を用いて実施される。ここで、図５の上段に示すように、定期的なオフセットキャリブレーションの実施中に検査開始時間となった場合（オフセットキャリブレーションの実施時間が検査の実施時間と重った場合）、所定の時間（例えば、１０秒）検査を実施することができず、技師や患者（被検体）を待たせることとなる。
【００２９】
そこで、調整機能１９３は、取得機能１９２によって取得された予約検査情報から検査時間に基づいて、オフセットキャリブレーションの実施時間が検査の実施時間と重ならないように、オフセットキャリブレーションを実施するタイミングを調整する。例えば、調整機能１９３は、図５の下段に示すように、予約された検査の検査実施時間と重なる定期的なオフセットキャリブレーションを、検査開始までに終了するように、オフセットキャリブレーションのタイミングを調整する。このように、調整機能１９３が予約検査時間直前にオフセットキャリブレーションを実施するようにタイミングを調整することで、検査開始時にＦＰＤ１５０をすぐに使用することができ、操作者による操作に支障をきたすことを回避することができる。また、予約検査時間直前にオフセットキャリブレーションを実施することで、予約検査において撮影された画像データに対して、より正確なオフセット補正値を用いたオフセット補正を実行することができ、画質の低下を回避することができる。
【００３０】
更新機能１９４は、調整機能１９３によって調整された更新時期に補正値を更新する。具体的には、更新機能１９４は、予め設定された定期的なオフセットキャリブレーションの実施タイミングでオフセット補正値を更新させるとともに、調整機能１９３によって調整されたオフセットキャリブレーションの実施タイミングでオフセット補正値を更新させる。例えば、更新機能１９４は、ＦＰＤ１５０における画素ごとに、Ｘ線を照射させない状態での電荷の読み出しを複数回実施し、実施した複数回の読み出し結果を画素ごとの平均したオフセット補正値を生成する。そして、更新機能１９４は、記憶回路１８０に記憶されたオフセット補正値を、生成したオフセット補正値に更新する。更新機能１９４は、上述した更新処理を、予め設定された定期的なオフセットキャリブレーションの実施タイミング、及び、調整機能１９３によって調整されたオフセットキャリブレーションの実施タイミングで実施する。
【００３１】
上述したように、医用画像診断システム１は、定期的なオフセットキャリブレーションのタイミングを、予約検査情報に基づいて調整する。ここで、医用画像診断システム１は、予約検査情報以外の種々の情報に基づいて、定期的なオフセットキャリブレーションの実施タイミングを調整することができる。
【００３２】
例えば、調整機能１９３は、オフセット補正値の定期的な更新が検査に関わる所定の事象の発生時期に実行されるように、オフセット補正値の定期的な更新の更新時期を調整する。一例を挙げると、調整機能１９３は、患者（被検体）の来院登録、場内アナウンス、検査オーダの取得、患者（被検体）検索、及び、カルテの読み出し等の事象が発生したタイミングでオフセットキャリブレーションが実施されるように、オフセットキャリブレーションの実施タイミングを調整する。この場合、調整機能１９３は、取得機能１９２によって各事象が発生した旨の情報が取得されたタイミングでオフセットキャリブレーションを実行するように、更新機能１９４を制御する。
【００３３】
また、例えば、調整機能１９３は、予約検査情報と所定の事象とを組み合わせて、定期的なオフセットキャリブレーションの実施タイミングを調整することもできる。一例を挙げると、調整機能１９３は、所定の事象の発生時期から検査の実施時期までの時間を推定し、推定した時間がオフセット補正値の定期的な更新の次の更新時期までの時間よりも短い場合に、オフセット補正値の定期的な更新が所定の事象の発生時期に実行されるように、オフセット補正値の定期的な更新の更新時期を調整する。
【００３４】
すなわち、調整機能１９３は、取得機能１９２によって各事象が発生した旨の情報が取得された時点から検査の実施時間までの時間を推定する。例えば、調整機能１９３は、患者の来院登録が実行された時点から検査の実施時間までの時間を推定する。そして、調整機能１９３は、推定した時間が、次の定期的なオフセットキャリブレーションの実施タイミングまでの時間よりも短い場合に、この時点でオフセットキャリブレーションが実施されるように実施タイミングを調整する。例えば、調整機能１９３は、患者の来院登録が実行された時点から検査の実施時間までの時間が、次の定期的なオフセットキャリブレーションの実施タイミングまでの時間よりも短い場合に、患者の来院登録の時点でオフセットキャリブレーションを実施するように更新機能１９４を制御する。
【００３５】
同様に、調整機能１９３は、院内で場内アナウンスが流れた場合（或いは、案内表示が表示された場合）、医用画像診断システム１において検査オーダが取得された場合、患者（被検体）の検索が実行された場合、及び、カルテの読み出しが実行された場合等に、各事象が生じた時点から検査の実施時間（開始時間）までの時間を推定し、推定した時間が次の定期的なオフセットキャリブレーションの実施タイミングまでの時間よりも短い場合に、その時点でオフセットキャリブレーションが実施されるように実施タイミングを調整する。なお、上述した各事象は、あくまでも一例であり、実施形態はこれに限定されるものではなく、その他任意の事象が用いられる場合であってもよい。
【００３６】
次に、第１の実施形態に係る医用画像診断システム１による処理の手順について、図６〜図８を用いて説明する。図６〜図８は、第１の実施形態に係る医用画像診断システム１による処理手順を示すフローチャートである。ここで、図６は、予約検査情報に応じたオフセットキャリブレーションの実施タイミングの調整処理について示し、図６におけるステップＳ１０１及びＳ１０２は、例えば、処理回路１９０が取得機能１９２に対応するプログラムを記憶回路１８０から呼び出して実行することにより実現される。また、ステップＳ１０３及びＳ１０４は、例えば、処理回路１９０が調整機能１９３に対応するプログラムを記憶回路１８０から呼び出して実行することにより実現される。また、ステップＳ１０５は、例えば、処理回路１９０が更新機能１９４に対応するプログラムを記憶回路１８０から呼び出して実行することにより実現される。
【００３７】
図７は、予約検査情報と所定の事象に応じたオフセットキャリブレーションの実施タイミングの調整処理について示し、図７におけるステップＳ２０１及びＳ２０２は、例えば、処理回路１９０が取得機能１９２に対応するプログラムを記憶回路１８０から呼び出して実行することにより実現される。また、ステップＳ２０３、Ｓ２０４、Ｓ２０６及びＳ２０７は、例えば、処理回路１９０が調整機能１９３に対応するプログラムを記憶回路１８０から呼び出して実行することにより実現される。また、ステップＳ２０５及びＳ２０８は、例えば、処理回路１９０が更新機能１９４に対応するプログラムを記憶回路１８０から呼び出して実行することにより実現される。
【００３８】
図８は、予約検査情報と所定の事象との組み合わせに応じたオフセットキャリブレーションの実施タイミングの調整処理について示し、図８におけるステップＳ３０１及びＳ３０２は、例えば、処理回路１９０が取得機能１９２に対応するプログラムを記憶回路１８０から呼び出して実行することにより実現される。また、ステップＳ３０３、Ｓ３０４、Ｓ３０６〜Ｓ３０９は、例えば、処理回路１９０が調整機能１９３に対応するプログラムを記憶回路１８０から呼び出して実行することにより実現される。また、ステップＳ３０５及びＳ３１０は、例えば、処理回路１９０が更新機能１９４に対応するプログラムを記憶回路１８０から呼び出して実行することにより実現される。
【００３９】
例えば、予約検査情報に応じてオフセットキャリブレーションの実施タイミングを調整する場合、図６に示すように、本実施形態に係る医用画像診断システム１では、まず、処理回路１９０が、予約検査情報を取得して（ステップＳ１０１）、検査の実施時間を特定する（ステップＳ１０２）。そして、処理回路１９０が、次の定期的なオフセットキャリブレーションの実施時間が、検査の実施時間と重なるか否かを判定する（ステップＳ１０３）。
【００４０】
ここで、次の定期的なオフセットキャリブレーションの実施時間が、検査の実施時間と重なる場合（ステップＳ１０３肯定）、処理回路１９０が、検査の実施時間と重なるオフセットキャリブレーションの実施時間を検査の実施時間の前に調整する（ステップＳ１０４）。そして、処理回路１９０は、調整後の実施時間でオフセットキャリブレーションを実施する（ステップＳ１０５）。一方、次の定期的なオフセットキャリブレーションの実施時間が、検査の実施時間と重ならない場合（ステップＳ１０３否定）、処理回路１９０は、予め設定された定期的な時間でオフセットキャリブレーションを実施する（ステップＳ１０５）。
【００４１】
また、予約検査情報と所定の事象に応じてオフセットキャリブレーションの実施タイミングを調整する場合、例えば、図７に示すように、本実施形態に係る医用画像診断システム１では、まず、処理回路１９０が、予約検査情報を取得して（ステップＳ２０１）、検査の実施時間を特定する（ステップＳ２０２）。そして、処理回路１９０が、次の定期的なオフセットキャリブレーションの実施時間が、検査の実施時間と重なるか否かを判定する（ステップＳ２０３）。
【００４２】
ここで、次の定期的なオフセットキャリブレーションの実施時間が、検査の実施時間と重なる場合（ステップＳ２０３肯定）、処理回路１９０が、検査の実施時間と重なるオフセットキャリブレーションの実施時間を検査の実施時間の前に調整する（ステップＳ２０４）。そして、処理回路１９０は、調整後の実施時間でオフセットキャリブレーションを実施する（ステップＳ２０５）。一方、次の定期的なオフセットキャリブレーションの実施時間が、検査の実施時間と重ならない場合（ステップＳ２０３否定）、処理回路１９０は、検査が開始されたか否かを判定する（ステップＳ２０６）。
【００４３】
ここで、検査が開始された場合（ステップＳ２０６肯定）、処理回路１９０は、処理を終了する。一方、検査が開始されていない場合（ステップＳ２０６否定）、処理回路１９０は、所定の事象が生じたか否かを判定する（ステップＳ２０７）。例えば、処理回路１９０は、患者（被検体）の来院登録、場内アナウンス、検査オーダの取得、患者（被検体）検索、及び、カルテの読み出し等の事象が発生したか否かを判定する。
【００４４】
ここで、所定の事象が生じた場合（ステップＳ２０７肯定）、処理回路１９０は、所定の事象が生じたタイミングでオフセットキャリブレーションを実施する（ステップＳ２０８）。一方、所定の事象が生じていない場合（ステップＳ２０７否定）、処理回路１９０は、ステップＳ２０３に戻って、次の定期的なオフセットキャリブレーションの実施時間が、検査の実施時間と重なるか否かを判定する。
【００４５】
また、予約検査情報と所定の事象との組み合わせに応じてオフセットキャリブレーションの実施タイミングを調整する場合、例えば、図８に示すように、本実施形態に係る医用画像診断システム１では、まず、処理回路１９０が、予約検査情報を取得して（ステップＳ３０１）、検査の実施時間を特定する（ステップＳ３０２）。そして、処理回路１９０が、次の定期的なオフセットキャリブレーションの実施時間が、検査の実施時間と重なるか否かを判定する（ステップＳ３０３）。
【００４６】
ここで、次の定期的なオフセットキャリブレーションの実施時間が、検査の実施時間と重なる場合（ステップＳ３０３肯定）、処理回路１９０が、検査の実施時間と重なるオフセットキャリブレーションの実施時間を検査の実施時間の前に調整する（ステップＳ３０４）。そして、処理回路１９０は、調整後の実施時間でオフセットキャリブレーションを実施する（ステップＳ３０５）。一方、次の定期的なオフセットキャリブレーションの実施時間が、検査の実施時間と重ならない場合（ステップＳ３０３否定）、処理回路１９０は、検査が開始されたか否かを判定する（ステップＳ３０６）。
【００４７】
ここで、検査が開始された場合（ステップＳ３０６肯定）、処理回路１９０は、処理を終了する。一方、検査が開始されていない場合（ステップＳ３０６否定）、処理回路１９０は、所定の事象が生じたか否かを判定する（ステップＳ３０７）。ここで、所定の事象が生じた場合（ステップＳ３０７肯定）、処理回路１９０は、検査開始までの時間を推定して（ステップＳ３０８）、推定した時間が次のオフセットキャリブレーションまでの時間よりも短いか否かを判定する（ステップＳ３０９）。
【００４８】
ここで、推定した時間が次のオフセットキャリブレーションまでの時間よりも短い場合（ステップＳ３０９肯定）、処理回路１９０が、所定の事象が生じたタイミングでオフセットキャリブレーションを実施する（ステップＳ３１０）。一方、推定した時間が次のオフセットキャリブレーションまでの時間よりも長い場合（ステップＳ３０９否定）、処理回路１９０が、ステップＳ３０３に戻って、次の定期的なオフセットキャリブレーションの実施時間が、検査の実施時間と重なるか否かを判定する。なお、ステップＳ３０７の判定において、所定の事象が生じていない場合（ステップＳ３０７否定）、処理回路１９０は、ステップＳ３０３に戻って、次の定期的なオフセットキャリブレーションの実施時間が、検査の実施時間と重なるか否かを判定する。
【００４９】
上述したように、第１の実施形態によれば、取得機能１９２は、検査の予約情報を示す予約検査情報を取得する。調整機能１９３は、予約検査情報に基づいて、医用画像を補正するオフセット補正値のオフセットキャリブレーションの実施時期を調整する。更新機能１９４は、調整機能１９３によって調整されたオフセットキャリブレーションの実施時期にオフセット補正値を更新する。従って、第１の実施形態に係る医用画像診断システム１は、予約検査の実施中にオフセットキャリブレーションが実施されることを回避しつつ、予約された時間以外でオフセットキャリブレーションを実施することができ、操作者による操作に支障をきたすことなく、画質の低下を回避することを可能にする。
【００５０】
また、第１の実施形態によれば、調整機能１９３は、予約検査情報に基づいて検査の実施時期を特定し、オフセット補正値の定期的なオフセットキャリブレーションの実施時期が検査の実施時期と重なる場合に、オフセット補正値の定期的なオフセットキャリブレーションが検査の実施前に実行されるように、定期的なオフセットキャリブレーションの実施時期を調整する。従って、第１の実施形態に係る医用画像診断システム１は、検査が実施される直前にオフセットキャリブレーションを実施することができ、より正確なオフセット補正値を用いたオフセット補正を実行することを可能にする。
【００５１】
また、第１の実施形態によれば、調整機能１９３は、オフセット補正値の定期的なオフセットキャリブレーションが検査に関わる所定の事象の発生時期に実行されるように、オフセット補正値の定期的なオフセットキャリブレーションの実施時期を調整する。従って、第１の実施形態に係る医用画像診断システム１は、任意の時期にオフセットキャリブレーションが実施されるように調整することができ、オフセットキャリブレーションの実施タイミングを任意のタイミングに調整することを可能にする。
【００５２】
また、第１の実施形態によれば、調整機能１９３は、所定の事象の発生時期から検査の実施時期までの時間を推定し、推定した時間がオフセット補正値の定期的なオフセットキャリブレーションの次の実施時期までの時間よりも短い場合に、オフセット補正値の定期的なオフセットキャリブレーションが所定の事象の発生時期に実行されるように、オフセット補正値の定期的なオフセットキャリブレーションの実施時期を調整する。従って、第１の実施形態に係る医用画像診断システム１は、検査までの時間と任意のタイミングとを考慮した実施タイミングの調整を行うことを可能にする。
【００５３】
（第２の実施形態）
次に、第２の実施形態について説明する。第２の実施形態では、検査中に画像データの収集タイミングを予測し、予測結果に応じてオフセットキャリブレーションの実施タイミングを調整する場合について説明する。図９は、第２の実施形態に係る医用画像診断システム１ａの構成の一例を示すブロック図である。第２の実施形態に係る医用画像診断システム１ａは、第１の実施形態に係る医用画像診断システム１と比較して、処理回路１９０ａによる処理内容が異なる。以下、この点を中心に説明する。
【００５４】
第２の実施形態に係る医用画像診断システム１ａにおける処理回路１９０ａは、入力回路１７０を介して操作者から受け付けた入力操作に応じて、医用画像診断システム１ａが有する各構成要素を制御する。例えば、処理回路１９０ａは、プロセッサによって実現される。処理回路１９０ａは、記憶回路１８０から対応するプログラムを読み出して実行することで、制御機能１９１ａと、予測機能１９５ａと、調整機能１９３ａと、更新機能１９４ａとを実行する。ここで、処理回路１９０ａは、検査実施中に、画像データの収集タイミングを予測し、予測結果に基づいて定期的なオフセットキャリブレーションの実施タイミングを調整する。制御機能１９１ａは、制御機能１９１と同様に医用画像診断システム１ａの全体制御を実行する。すなわち、制御機能１９１は、検査オーダに基づいて画像データを収集し、収集した画像データからＸ線画像を生成する。
【００５５】
予測機能１９５ａは、検査の実施中において、医用画像の収集時期を予測する。具体的には、予測機能１９５ａは、検査オーダに基づいて、制御機能１９１ａの制御のもと実行されている現在の検査における画像データの収集内容を特定する。例えば、予測機能１９５ａは、画像データの収集時期に基づいて、検査における画像データの残り収集回数を予測する。すなわち、予測機能１９５ａは、検査オーダから現在の検査における画像データの総収集回数を取得し、制御機能１９１ａによって実行された画像データの収集回数を取得する。そして、予測機能１９５は、画像データの総収集回数と現時点で実行済みの収集回数とからの画像データの残り収集回数を予測する。
【００５６】
調整機能１９３ａは、画像データの残り収集回数が所定の回数を下回った場合に、オフセット補正値の定期的な更新が検査の終了後に実行されるように、オフセット補正値の定期的なオフセットキャリブレーションの実施時期を調整する。図１０は、第２の実施形態に係る調整機能１９３ａによる調整処理の一例を説明するための図である。図１０においては、上段に調整前の定期的なオフセットキャリブレーションの実施時期の例を示し、下段に調整後のオフセットキャリブレーションの実施時期の例を示す。
【００５７】
例えば、定期的なオフセットキャリブレーションは、図１０の上段に示すように、検査の実施中であっても定期的に実施される。ここで、図１０の上段に示すように、定期的なオフセットキャリブレーションの実施中に撮影タイミングとなった場合、所定の時間（例えば、１０秒）撮影を実施することができず、技師や患者（被検体）を待たせることとなる。
【００５８】
そこで、調整機能１９３ａは、予測機能１９５ａによって予測された残り撮影回数に基づいて、オフセットキャリブレーションを即時的に実施するか否かを判定し、判定結果に応じてオフセットキャリブレーションの調整処理を実行する。例えば、図１０の上段に示すように、検査オーダで予定された予定撮影枚数が３撮影であり、予測機能１９５ａが予測した残り撮影回数が「１回」の場合（現時点で残りの撮影が、３回目の撮影である撮影３だけであった場合）、調整機能１９３ａは、図１０の下段に示すように、定期的なオフセットキャリブレーションを撮影３の後（３回目の曝射実施後）に実施されるように実施タイミングを調整する。このように、調整機能１９３ａは、残り撮影回数が所定の回数以下の場合に、オフセットキャリブレーションを撮影後に実施されるように調整することで、画質の低下を抑止しつつ、操作者による操作に支障をきたすことを回避することができる。
【００５９】
更新機能１９４ａは、更新機能１９４と同様に、調整機能１９３ａによって調整された更新時期に補正値を更新する。具体的には、更新機能１９４ａは、予め設定された定期的なオフセットキャリブレーションの実施タイミングでオフセット補正値を更新させるとともに、調整機能１９３ａによって調整されたオフセットキャリブレーションの実施タイミングでオフセット補正値を更新させる。
【００６０】
ここで、調整機能１９３ａは、予測機能１９５ａによる残り撮影回数の予測結果が所定の回数を超えている場合に、定期的なオフセットキャリブレーションを即時的に実施するように制御する。すなわち、調整機能１９３ａは、残り撮影回数が所定の回数を超えている場合には、検査実施中にであっても、定期的なオフセットキャリブレーションを予め設定された実施タイミングで実施するように、更新機能を制御する。これにより、画質の低下を回避することができる。
【００６１】
上述したように、医用画像診断システム１ａは、定期的なオフセットキャリブレーションのタイミングを、検査中の残り撮影回数に応じて調整する。ここで、医用画像診断システム１ａは、所定の撮影回数ごとにオフセットキャリブレーションを実施するように、実施タイミングを調整することができる。例えば、集団検診などのように、次々と被検体が入れ替わり撮影を行う場合などに、予め設定した予定撮影枚数が完了した段階で、検査終了を待たずに、オフセットキャリブレーションを実施してもよい。この場合には、例えば、調整機能１９３ａは、画像データの収集回数が所定の回数に達するごとにオフセット補正値の定期的なオフセットキャリブレーションが実行されるように、オフセット補正値の定期的なオフセットキャリブレーションの実施時期を調整する。
【００６２】
なお、医用画像診断システム１ａは、第１の実施形態で説明した予約検査情報に基づくオフセットキャリブレーションの調整処理を適宜実行することも可能である。すなわち、医用画像診断システム１ａは、検査開始前に予約検査情報に基づくオフセットキャリブレーションの調整処理を実行し、検査開始後は上述した撮影回数に基づくオフセットキャリブレーションの調整処理を実行することも可能である。この場合には、処理回路１９０ａが、処理回路１９０と同様の機能を実行する。また、上述した残り撮影回数に関する判定処理に用いる所定の回数は任意に設定することができる。また、上述したオフセットキャリブレーションを実施する際の所定の回数は任意に設定することができる。
【００６３】
次に、第２の実施形態に係る医用画像診断システム１ａによる処理の手順について、図１１〜図１２を用いて説明する。図１１〜図１２は、第２の実施形態に係る医用画像診断システム１ａによる処理手順を示すフローチャートである。ここで、図１１は、検査中の残り撮影回数に応じたオフセットキャリブレーションの実施タイミングの調整処理について示し、図１１におけるステップＳ４０１は、例えば、処理回路１９０ａが制御機能１９１ａに対応するプログラムを記憶回路１８０から呼び出して実行することにより実現される。また、ステップＳ４０２、Ｓ４０３及びＳ４０８は、例えば、処理回路１９０ａが予測機能１９５ａに対応するプログラムを記憶回路１８０から呼び出して実行することにより実現される。また、ステップＳ４０４は、例えば、処理回路１９０ａが調整機能１９３ａに対応するプログラムを記憶回路１８０から呼び出して実行することにより実現される。また、ステップＳ４０５〜Ｓ４０７は、例えば、処理回路１９０ａが更新機能１９４ａに対応するプログラムを記憶回路１８０から呼び出して実行することにより実現される。
【００６４】
図１２は、所定の撮影回数ごとに実施するオフセットキャリブレーションの実施タイミングの調整処理について示し、図１２におけるステップＳ５０１は、例えば、処理回路１９０ａが制御機能１９１ａに対応するプログラムを記憶回路１８０から呼び出して実行することにより実現される。また、ステップＳ５０２は、例えば、処理回路１９０ａが予測機能１９５ａに対応するプログラムを記憶回路１８０から呼び出して実行することにより実現される。また、ステップＳ５０３及びＳ５０４は、例えば、処理回路１９０ａが更新機能１９４ａに対応するプログラムを記憶回路１８０から呼び出して実行することにより実現される。
【００６５】
検査中の残り撮影回数に応じたオフセットキャリブレーションの実施タイミングを調整する場合、例えば、図１１に示すように、本実施形態に係る医用画像診断システム１ａでは、まず、処理回路１９０ａが、検査を開始して（ステップＳ４０１）、定期的なオフセットキャリブレーションの実施時間か否かを判定する（ステップＳ４０２）。ここで、定期的なオフセットキャリブレーションの実施時間ではない場合（ステップＳ４０２否定）、処理回路１９０ａは、実施時間となるまで待機状態となる。
【００６６】
一方、定期的なオフセットキャリブレーションの実施時間である場合（ステップＳ４０２肯定）、処理回路１９０ａは、残り撮影回数が所定の回数以下であるか否かを判定する（ステップＳ４０３）。ここで、残り撮影回数が所定の回数以下である場合（ステップＳ４０３肯定）、処理回路１９０ａは、オフセットキャリブレーションの実施時間を検査終了後に調整して（ステップ４０４）、検査が終了したか否かを判定する（ステップＳ４０５）。そして、検査が終了した場合（ステップＳ４０５肯定）、処理回路１９０ａは、オフセットキャリブレーションを実施する（ステップＳ４０６）。なお、処理回路１９０ａは、検査が終了するまで待機状態である（ステップＳ４０５否定）。
【００６７】
一方、ステップＳ４０３の判定において、残り撮影回数が所定の回数以下ではない場合（ステップＳ４０３否定）、処理回路１９０ａは、オフセットキャリブレーションを実施して（ステップＳ４０７）、次の実施時間よりも先に検査が終了するか否かを判定する（ステップＳ４０８）。ここで、次の実施時間よりも先に検査が終了する場合（ステップＳ４０８肯定）、処理回路１９０ａは、処理を終了する。一方、次の実施時間よりも先に検査が終了しない場合（ステップＳ４０８否定）、処理回路１９０ａは、ステップＳ４０２に戻って、定期的なオフセットキャリブレーションの実施時間か否かを判定する。
【００６８】
また、所定の撮影回数ごとに実施するオフセットキャリブレーションの実施タイミングを調整する場合、例えば、図１２に示すように、本実施形態に係る医用画像診断システム１ａでは、まず、処理回路１９０ａが、検査を開始して（ステップＳ５０１）、撮影回数が所定の回数に達したか否かを判定する（ステップＳ５０２）。ここで、撮影回数が所定の回数に達した場合（ステップＳ５０２肯定）、処理回路１９０ａは、オフセットキャリブレーションを実施して（ステップＳ５０３）、検査が終了したか否かを判定する（ステップＳ５０４）。ここで、検査が終了した場合（ステップＳ５０４肯定）、処理回路１９０ａは、処理を終了する。なお、処理回路１９０ａは、撮影回数が所定の回数に達するまで待機状態である（ステップＳ５０２否定）。また、処理回路１９０ａは、検査が終了するまで待機状態である（ステップＳ５０４否定）。
【００６９】
上述したように、第２の実施形態によれば、予測機能１９５ａは、検査の実施中において、画像データの収集時期を予測する。調整機能１９３ａは、画像データの収集時期の予測結果に基づいて、画像データを補正するオフセット補正値のオフセットキャリブレーションの実施時期を調整する。更新機能１９４ａは、調整機能１９３ａによって調整されたオフセットキャリブレーションの実施時期にオフセット補正値を更新する。従って、第２の実施形態に係る医用画像診断システム１ａは、検査の実施中においても、操作者による操作に支障をきたすことなく、画質の低下を回避することを可能にする。
【００７０】
また、第２の実施形態によれば、予測機能１９５ａは、画像データの収集時期に基づいて、検査における画像データの残り収集回数を予測する。調整機能１９３ａは、画像データの残り収集回数が所定の回数を下回った場合に、オフセット補正値の定期的なオフセットキャリブレーションが検査の終了後に実行されるように、オフセット補正値の定期的なオフセットキャリブレーションの実施時期を調整する。従って、第２の実施形態に係る医用画像診断システム１ａは、検査の実施中においても、残り撮影回数に応じて最適なタイミングでオフセットキャリブレーションを実施することを可能にする。
【００７１】
また、第２の実施形態によれば、調整機能１９３ａは、画像データの収集回数が所定の回数に達するごとにオフセット補正値の定期的なオフセットキャリブレーションが実行されるように、オフセット補正値の定期的なオフセットキャリブレーションの実施時期を調整する。従って、第２の実施形態に係る医用画像診断システム１ａは、長期間検査が実施される場合であっても、画質の低下を回避することを可能にする。
【００７２】
（第３の実施形態）
次に、第３の実施形態について説明する。第３の実施形態では、複数のＦＰＤ１５０を用いて検査が実施されている場合の各ＦＰＤ１５０におけるオフセットキャリブレーションの実施タイミングを調整する場合について説明する。なお、第３の実施形態に係る医用画像診断システム１ａは、第２の実施形態に係る医用画像診断システム１ａと比較して、制御機能１９１ａによる処理内容と、予測機能１９５ａによる処理内容と、調整機能１９３ａによる処理内容とが異なる。以下、これらの点を中心に説明する。
【００７３】
第３の実施形態に係る制御機能１９１ａは、検査オーダに基づいて、複数のＦＰＤ１５０を用いた画像データの収集を制御する。例えば、制御機能１９１ａは、立位撮影台及び臥位撮影台にそれぞれ設置された２つのＦＰＤ１５０による画像データの収集を制御し、各画像データからＸ線画像をそれぞれ生成する。
【００７４】
第３の実施形態に係る予測機能１９５ａは、検査の実施中において、検査の実施中におけるＦＰＤ１５０ごとの画像データの収集時期をそれぞれ予測する。具体的には、予測機能１９５ａは、検査オーダに基づいて、各ＦＰＤ１５０による画像データの収集タイミングを特定する。
【００７５】
第３の実施形態に係る調整機能１９３ａは、各ＦＰＤ１５０における画像データの収集時期に基づいて、ＦＰＤ１５０ごとのオフセット補正値の定期的なオフセットキャリブレーションの実施時期を調整する。図１３は、第３の実施形態に係る調整機能１９３ａによる調整処理の一例を説明するための図である。例えば、医用画像診断システム１においては、画像データの収集方式（術式）に応じて、図１３に示すように、ＦＰＤ１及びＦＰＤ２の２つのＦＰＤを用いて画像データがそれぞれ収集される場合がある。この場合、予測機能１９５ａは、例えば、図１３に示すように、ＦＰＤ１による２回の撮影タイミングと、ＦＰＤ２による１回の撮影タイミングを検査オーダに基づいて予測する。
【００７６】
調整機能１９３ａは、ＦＰＤ１及びＦＰＤ２の定期的なオフセットキャリブレーションの実施タイミングと、予測機能１９５ａによって予測された撮影タイミングとを比較して、オフセットキャリブレーションの実施タイミング撮影タイミングとが重なる場合に、該当するＦＰＤにおける定期的なオフセットキャリブレーションの実施タイミングを調整する。例えば、調整機能１９３ａは、図１３に示すように、ＦＰＤ１における撮影タイミング（２回目の撮影）と定期的なオフセットキャリブレーションの実施タイミングとが重なる（定期的なオフセットキャリブレーションの実施中に２回目の撮影タイミングがくる）ことから、術式が切り替わるタイミング（ＦＰＤ１での撮影が終了するタイミング）後にオフセットキャリブレーションが実施されるように、実施タイミングを調整する。
【００７７】
一方、ＦＰＤ２における定期的なオフセットキャリブレーションの実施タイミングは、図１３に示すように、ＦＰＤ２による撮影タイミングと重ならないことから、調整機能１９３ａは、定期的なオフセットキャリブレーションの実施タイミングで、ＦＰＤ２におけるオフセットキャリブレーションを実施するように、更新機能１９４ａを制御する。ここで、ＦＰＤ１及びＦＰＤ２における検査中のオフセットキャリブレーションは、バックグラウンドでそれぞれ実施される。このように、調整機能１９３ａは、複数のＦＰＤ１５０が使用される場合に、各ＦＰＤ１５０が使用されていないタイミングにオフセットキャリブレーションを実施するように、オフセットキャリブレーションの実施タイミングを調整する。これにより、オフセットキャリブレーションを効率よく実施することができる。
【００７８】
上述したように、医用画像診断システム１ａは、複数のＦＰＤ１５０を用いる場合に、定期的なオフセットキャリブレーションの実施タイミングを、各ＦＰＤ１５０の撮影タイミングに応じて調整する。ここで、医用画像診断システム１ａは、単一のＦＰＤ１５０を使用している場合でも、所定の条件を満たす場合に、オフセットキャリブレーションを実施するように、実施タイミングを調整することができる。例えば、複数の部位が撮影対象部位となっており、それらの対象部位が隣接していない異なる部位である場合や、ＦＰＤ１５０の位置を変えている場合、寝台の位置を変えている場合、Ｘ線管を移動させている場合、Ｘ線診断装置が配置された検査室の扉が開いている場合などに、オフセットキャリブレーションを実施するように制御してもよい。
【００７９】
すなわち、上述した各ケースは、Ｘ線の曝射が実施されないと考えられるタイミングであり、Ｘ線が曝射されないと考えられる上述した各ケースで、オフセットキャリブレーションを実施することで、効率よくオフセット補正値の更新を行うことができる。この場合、例えば、調整機能１９３ａは、オフセット補正値の定期的なオフセットキャリブレーションが検査中の所定の事象の発生時期に実行されるように、オフセット補正値の定期的なオフセットキャリブレーションの実施時期を調整する。
【００８０】
なお、第３の実施形態に係る医用画像診断システム１ａは、第１の実施形態で説明した予約検査情報に基づくオフセットキャリブレーションの調整処理、及び、第２の実施形態で説明した撮影回数に基づくオフセットキャリブレーションの調整処理を適宜実行することも可能である。すなわち、第３の実施形態に係る医用画像診断システム１ａは、複数のＦＰＤ１５０におけるオフセットキャリブレーションについて、検査開始前には予約検査情報に基づくオフセットキャリブレーションの調整処理を実行し、検査開始後は撮影回数に基づくオフセットキャリブレーションの調整処理を各ＦＰＤ１５０に対してそれぞれ実行することも可能である。この場合には、処理回路１９０ａが、第１の実施形態に係る処理回路１９０及び第２の実施形態に係る処理回路１９０ａと同様の機能を実行する。
【００８１】
次に、第３の実施形態に係る医用画像診断システム１ａによる処理の手順について、図１４〜図１５を用いて説明する。図１４〜図１５は、第３の実施形態に係る医用画像診断システム１ａによる処理手順を示すフローチャートである。ここで、図１４は、複数のＦＰＤ１５０におけるオフセットキャリブレーションの実施タイミングの調整処理について示し、図１４におけるステップＳ６０１は、例えば、処理回路１９０ａが制御機能１９１ａに対応するプログラムを記憶回路１８０から呼び出して実行することにより実現される。また、ステップＳ６０２は、例えば、処理回路１９０ａが予測機能１９５ａに対応するプログラムを記憶回路１８０から呼び出して実行することにより実現される。また、ステップＳ６０３は、例えば、処理回路１９０ａが調整機能１９３ａに対応するプログラムを記憶回路１８０から呼び出して実行することにより実現される。また、ステップＳ６０４は、例えば、処理回路１９０ａが更新機能１９４ａに対応するプログラムを記憶回路１８０から呼び出して実行することにより実現される。
【００８２】
図１５は、所定の条件ごとに実施するオフセットキャリブレーションの実施タイミングの調整処理について示し、図１５におけるステップＳ７０１は、例えば、処理回路１９０ａが制御機能１９１ａに対応するプログラムを記憶回路１８０から呼び出して実行することにより実現される。また、ステップＳ７０２は、例えば、処理回路１９０ａが予測機能１９５ａに対応するプログラムを記憶回路１８０から呼び出して実行することにより実現される。また、ステップＳ７０３は、例えば、処理回路１９０ａが調整機能１９３ａに対応するプログラムを記憶回路１８０から呼び出して実行することにより実現される。また、ステップＳ５０４及びＳ５０５は、例えば、処理回路１９０ａが更新機能１９４ａに対応するプログラムを記憶回路１８０から呼び出して実行することにより実現される。
【００８３】
複数のＦＰＤ１５０におけるオフセットキャリブレーションの実施タイミングを調整する場合、例えば、図１４に示すように、本実施形態に係る医用画像診断システム１ａでは、まず、処理回路１９０ａが、検査を開始して（ステップＳ６０１）、定期的なオフセットキャリブレーションの実施時間か否かを判定する（ステップＳ６０２）。ここで、定期的なオフセットキャリブレーションの実施時間ではない場合（ステップＳ６０２否定）、処理回路１９０ａは、実施時間となるまで待機状態となる。
【００８４】
一方、定期的なオフセットキャリブレーションの実施時間である場合（ステップＳ６０２肯定）、処理回路１９０ａは、現在使用中のＦＰＤ１５０におけるオフセットキャリブレーションの実施時間を撮影終了後に調整する（ステップＳ６０３）。そして、処理回路１９０ａは、現在使用してないＦＰＤ１５０におけるオフセットキャリブレーションを実施する（ステップＳ６０４）。
【００８５】
所定の条件ごとに実施するオフセットキャリブレーションの実施タイミングを調整する場合、例えば、図１５に示すように、本実施形態に係る医用画像診断システム１ａでは、まず、処理回路１９０ａが、検査を開始して（ステップＳ７０１）、定期的なオフセットキャリブレーションの実施時間か否かを判定する（ステップＳ７０２）。ここで、定期的なオフセットキャリブレーションの実施時間ではない場合（ステップＳ７０２否定）、処理回路１９０ａは、実施時間となるまで待機状態となる。
【００８６】
一方、定期的なオフセットキャリブレーションの実施時間である場合（ステップＳ７０２肯定）、処理回路１９０ａは、所定の条件を満たすか否かを判定する（ステップＳ７０３）。例えば、処理回路１９０ａは、複数の部位が撮影対象部位となっており、それらの対象部位が隣接していない異なる部位である場合、ＦＰＤ１５０の位置を変えている場合、寝台の位置を変えている場合、Ｘ線管を移動させている場合、又は、Ｘ線診断装置が配置された検査室の扉が開いている場合であるか否かを判定する。
【００８７】
ここで、所定の条件を満たす場合（ステップＳ７０３肯定）、処理回路１９０ａは、オフセットキャリブレーションを実施して（ステップＳ７０４）、検査が終了したか否かを判定する（ステップＳ７０５）。一方、所定の条件を満たさない場合（ステップＳ７０３否定）、処理回路１９０ａは、検査が終了したか否かを判定する（ステップＳ７０５）。ステップＳ７０５において、検査が終了した場合には（ステップＳ７０５肯定）、処理回路１９０ａは、処理を終了する。一方、検査が終了していない場合には（ステップＳ７０５否定）、処理回路１９０ａは、ステップＳ７０２に戻って、定期的なオフセットキャリブレーションの実施時間か否かを判定する。
【００８８】
上述したように、第３の実施形態によれば、予測機能１９５ａは、検査の実施中におけるＦＰＤ１５０ごとの画像データの収集時期をそれぞれ予測する。調整機能１９３ａは、各ＦＰＤ１５０における画像データの収集時期に基づいて、ＦＰＤ１５０ごとのオフセット補正値の定期的なオフセットキャリブレーションの実施時期を調整する。従って、第３の実施形態に係る医用画像診断システム１ａは、複数のＦＰＤ１５０を用いる場合に、各ＦＰＤの使用状況に応じたオフセットキャリブレーションを実施することができ、操作者による操作に支障をきたすことなく、画質の低下を回避することを可能にする。
【００８９】
また、第３の実施形態によれば、調整機能１９３ａは、オフセット補正値の定期的な更新が検査中の所定の事象の発生時期に実行されるように、オフセット補正値の定期的なオフセットキャリブレーションの実施時期を調整する。従って、第３の実施形態に係る医用画像診断システム１ａは、検査中であってもＦＰＤ１５０が使用されない時間帯にオフセットキャリブレーションを実施することができ、オフセットキャリブレーションを効率よく実施することを可能にする。
【００９０】
（第４の実施形態）
さて、これまで第１〜第３の実施形態について説明したが、上述した第１〜第３の実施形態以外にも、種々の異なる形態にて実施されてよいものである。
【００９１】
上述した実施形態では、医用画像診断システム１及び医用画像診断システム１ａが各種処理を実行する場合について説明した。しかしながら、実施形態はこれに限定されるものではなく、例えば、ＦＰＤ１５０において各種処理が実行される場合であってもよい。図１６及び図１７は、第４の実施形態に係るＦＰＤ１５０の構成の一例を示すブロック図である。ここで、図１６は、第１の実施形態において説明した各種処理を実行する場合のＦＰＤ１５０の構成を示すブロック図であり、図１７は、第２及び第３の実施形態において説明した各種処理を実行する場合のＦＰＤ１５０の構成を示すブロック図である。
【００９２】
図１６に示すように、処理回路１５１は、制御機能１５１１と、取得機能１５１２と、調整機能１５１３と、更新機能１５１４とを実行する。制御機能１５１１、取得機能１５１２、調整機能１５１３及び更新機能１５１４は、コンピュータによって実行可能なプログラムの形態で記憶回路１５２へ記録されている。処理回路１５１はプログラムを記憶回路１５２から読み出し、実行することで各プログラムに対応する機能を実現するプロセッサである。換言すると、各プログラムを読み出した状態の処理回路１５１は、図１６の処理回路１５１に示された各機能を有することとなる。
【００９３】
制御機能１５１１は、ＦＰＤ１５０による処理の全体を制御する。ＦＰＤ１５０による処理とは、画像データの収集や、Ｘ線画像の補正に用いるデータの生成や送信等に係る一連の処理である。取得機能１５１２は、上述した取得機能１９２と同様の処理を実行する。調整機能１５１３は、上述した調整機能１９３と同様の処理を実行する。更新機能１５１４は、上述した更新機能１９４と同様の処理を実行する。記憶回路１５２は、処理回路１５１がＦＰＤ１５０による処理の全体を制御する際に用いるデータを記憶する。例えば、記憶回路１５２は、処理回路１５１によって実行される、各プログラムを記憶する。
【００９４】
図１７に示すように、処理回路１５１ａは、制御機能１５１１ａと、予測機能１５１５ａと、調整機能１５１３ａと、更新機能１５１４ａとを実行する。制御機能１５１１ａ、予測機能１５１５ａ、調整機能１５１３ａ及び更新機能１５１４ａは、コンピュータによって実行可能なプログラムの形態で記憶回路１５２へ記録されている。処理回路１５１ａはプログラムを記憶回路１５２から読み出し、実行することで各プログラムに対応する機能を実現するプロセッサである。換言すると、各プログラムを読み出した状態の処理回路１５１ａは、図１７の処理回路１５１ａに示された各機能を有することとなる。
【００９５】
制御機能１５１１ａは、ＦＰＤ１５０による処理の全体を制御する。予測機能１５１５ａは、上述した予測機能１９５ａと同様の処理を実行する。調整機能１５１３ａは、上述した調整機能１９３ａと同様の処理を実行する。更新機能１５１４ａは、上述した更新機能１９４ａと同様の処理を実行する。記憶回路１５２は、処理回路１５１ａがＦＰＤ１５０による処理の全体を制御する際に用いるデータを記憶する。例えば、記憶回路１５２は、処理回路１５１ａによって実行される、各プログラムを記憶する。
【００９６】
また、上述した図２、図９、図１６及び図１７では、単一の処理回路によって各処理機能が実現される場合の例を説明したが、実施形態はこれに限られない。例えば、処理回路は、複数の独立したプロセッサを組み合わせて構成され、各プロセッサが各プログラムを実行することにより各処理機能を実現するものとしても構わない。また、処理回路が有する各処理機能は、単一又は複数の処理回路に適宜に分散又は統合されて実現されてもよい。
【００９７】
また、上述した各実施形態の説明で用いた「プロセッサ」という文言は、例えば、ＣＰＵ（Central  Processing  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、記憶回路にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００９８】
ここで、プロセッサによって実行されるプログラムは、ＲＯＭ（Read  Only  Memory）や記憶部等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９９】
以上説明した少なくとも一つの実施形態によれば、操作者による操作に支障をきたすことなく、画質の低下を回避することができる。
【０１００】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０１】
１、１ａ  医用画像診断システム
１５０  ＦＰＤ  
１５１、１５１ａ、１９０、１９０ａ  処理回路
１９１、１９１ａ、１５１１、１５１１ａ  制御機能
１９２、１５１２  取得機能
１９３、１９３ａ、１５１３、１５１３ａ  調整機能
１９４、１９４ａ、１５１４、１５１４ａ  更新機能
１９５ａ、１５１５ａ  予測機能
【図１】
2018033839.tif 000003
【図２】
2018033839.tif 000004
【図３】
2018033839.tif 000005
【図４】
2018033839.tif 000006
【図５】
2018033839.tif 000007
【図６】
2018033839.tif 000008
【図７】
2018033839.tif 000009
【図８】
2018033839.tif 000010
【図９】
2018033839.tif 000011
【図１０】
2018033839.tif 000012
【図１１】
2018033839.tif 000013
【図１２】
2018033839.tif 000014
【図１３】
2018033839.tif 000015
【図１４】
2018033839.tif 000016
【図１５】
2018033839.tif 000017
【図１６】
2018033839.tif 000018
【図１７】
2018033839.tif 000019